(57)【特許請求の範囲】
【請求項１】
前方に前部開口部を有するグリル庫と、焼き網を載置自在な引出部と、前記グリル庫内を加熱するバーナと、前記バーナにて形成される火炎を検知する検知部が前記火炎中に位置する又は前記火炎に曝される状態で設けられた火炎検知手段と、その火炎検知手段の出力信号に基づいて前記バーナの作動を制御する制御手段と、前記グリル庫内において所定の設定位置に配置されて、前記グリル庫の内壁を覆うカバー体とを備え、
前記引出部が、前記前部開口部を通して前記グリル庫に出し入れ自在に設けられ、
前記カバー体が、前記前部開口部を通して着脱自在に設けられたグリルであって、
前記カバー体が前記設定位置に位置するときと前記設定位置に位置しないときとで、前記火炎検知手段の出力信号が変動するように構成され、
前記制御手段が、前記火炎検知手段の出力信号に基づいて、前記カバー体が前記設定位置に位置しているか否かを判定するように構成され、
前記制御手段の判定結果を出力する報知手段が設けられ、
前記カバー体が前記設定位置に位置するときと位置しないときとで、前記火炎に対して前記検知部を遮蔽する範囲を異ならせることが可能なように、前記火炎に対して前記検知部を遮蔽する検知部遮蔽体が、前記カバー体に一体的に備えられ、
前記グリル庫に対する前記カバー体の左右方向での位置を左右方向の設定位置に位置決めした状態で、前記カバー体の前後方向の移動を案内する前後移動案内手段が設けられ、
前記検知部遮蔽体が、前後方向での前記検知部との相対位置関係の変動により、前記火炎に対して前記検知部を遮蔽する範囲を異ならせるように前記カバー体に備えられ、
前記カバー体が、前記グリル庫の左右の内壁を夫々覆う左側覆い部、右側覆い部と、それら左側覆い部及び右側覆い部夫々の上端部同士を連結する細長状の連結部とを備えて構成され、
前記火炎検知手段が、前記グリル庫の左右の側部の少なくとも一方に、前記検知部を前記グリル庫の内方に向けて突出させた形態で設けられ、
前記検知部遮蔽体が、前記火炎検知手段に対応して、前記左側覆い部、前記右側覆い部の少なくとも一方に、前記グリル庫の内方に向けて突出するように設けられているグリル。
【請求項２】
前記バーナとして、前記グリル庫内の上部に配置される上側バーナと、前記グリル庫内の下部に配置される下側バーナとが備えられ、
前記検知部遮蔽体が、前記上側バーナに対応して設けられた前記火炎検知手段の前記検知部に対応して設けられている請求項１に記載のグリル。
【請求項３】
前記火炎検知手段が、前記検知部が前記火炎中に位置する状態で設けられた熱電対にて構成されている請求項１又は２に記載のグリル。
【請求項４】
前記火炎検知手段が、前記検知部が前記火炎中に位置する状態で設けられたフレームロッドにて構成されている請求項１又は２に記載のグリル。
【請求項５】
前記火炎検知手段が、前記検知部が前記火炎に曝される状態で設けられた光学式火炎検知器にて構成されている請求項１又は２に記載のグリル。
【発明の詳細な説明】
【技術分野】
【０００１】
本発明は、前方に前部開口部を有するグリル庫と、焼き網を載置自在な引出部と、前記グリル庫内を加熱するバーナと、前記バーナにて形成される火炎を検知する検知部が前記火炎中に位置する又は前記火炎に曝される状態で設けられた火炎検知手段と、その火炎検知手段の出力信号に基づいて前記バーナの作動を制御する制御手段と、前記グリル庫内において所定の設定位置に配置されて、前記グリル庫の内壁を覆うカバー体とを備え、前記引出部が、前記前部開口部を通して前記グリル庫に出し入れ自在に設けられ、前記カバー体が、前記前部開口部を通して着脱自在に設けられたグリルに関する。
【背景技術】
【０００２】
かかるグリルは、被加熱物を焼き網に載置して引出部をグリル庫内に収容して、バーナを燃焼させることにより使用するものであり、そのようにグリルを使用するときには、グリル庫の内壁を覆うカバー体をグリル庫内の設定位置に配置することで、グリル庫の内壁が被加熱物から飛散する油分や油煙等により汚れるのを抑制するようになっている。
そして、カバー体は、グリル庫の前部開口部を通して着脱自在であり、適宜、グリル庫から取り出して洗浄することができるようになっている（例えば、特許文献１、２参照。）。
【先行技術文献】
【特許文献】
【０００３】
【特許文献１】特開２００１−３３８号公報
【特許文献２】特開２０１１−３６５５６号公報
【発明の概要】
【発明が解決しようとする課題】
【０００４】
ところで、使用者がカバー体をグリル庫から取り出して洗浄した後に、カバー体を再びグリル庫内に配置するのを忘れる場合がある。
しかしながら、従来のグリルでは、使用者がカバー体をグリル庫内に配置し忘れると、そのようにカバー体をグリル庫内に配置し忘れた状態でもグリルを使用する虞があった。即ち、カバー体が配置されたか否か、カバー体の配置が適正か否かの判定は、事実上されていなかった。
【０００５】
本発明は、かかる実情に鑑みてなされたものであり、その目的は、グリル庫内にカバー体を配置し忘れた状態で使用するのを抑制し得るグリルを提供することにある。
【課題を解決するための手段】
【０００６】
本発明のグリルは、前方に前部開口部を有するグリル庫と、焼き網を載置自在な引出部と、前記グリル庫内を加熱するバーナと、前記バーナにて形成される火炎を検知する検知部が前記火炎中に位置する又は前記火炎に曝される状態で設けられた火炎検知手段と、その火炎検知手段の出力信号に基づいて前記バーナの作動を制御する制御手段と、前記グリル庫内において所定の設定位置に配置されて、前記グリル庫の内壁を覆うカバー体とを備え、前記引出部が、前記前部開口部を通して前記グリル庫に出し入れ自在に設けられ、前記カバー体が、前記前部開口部を通して着脱自在に設けられたものであって、
第１特徴構成は、前記カバー体が前記設定位置に位置するときと前記設定位置に位置しないときとで、前記火炎検知手段の出力信号が変動するように構成され、
前記制御手段が、前記火炎検知手段の出力信号に基づいて、前記カバー体が前記設定位置に位置しているか否かを判定するように構成され、
前記制御手段の判定結果を出力する報知手段が設けられ、
前記カバー体が前記設定位置に位置するときと位置しないときとで、前記火炎に対して前記検知部を遮蔽する範囲を異ならせることが可能なように、前記火炎に対して前記検知部を遮蔽する検知部遮蔽体が、前記カバー体に一体的に備えられ、
前記グリル庫に対する前記カバー体の左右方向での位置を左右方向の設定位置に位置決めした状態で、前記カバー体の前後方向の移動を案内する前後移動案内手段が設けられ、
前記検知部遮蔽体が、前後方向での前記検知部との相対位置関係の変動により、前記火炎に対して前記検知部を遮蔽する範囲を異ならせるように前記カバー体に備えられ、
前記カバー体が、前記グリル庫の左右の内壁を夫々覆う左側覆い部、右側覆い部と、それら左側覆い部及び右側覆い部夫々の上端部同士を連結する細長状の連結部とを備えて構成され、
前記火炎検知手段が、前記グリル庫の左右の側部の少なくとも一方に、前記検知部を前記グリル庫の内方に向けて突出させた形態で設けられ、
前記検知部遮蔽体が、前記火炎検知手段に対応して、前記左側覆い部、前記右側覆い部の少なくとも一方に、前記グリル庫の内方に向けて突出するように設けられている点にある。
【０００７】
上記特徴構成によれば、カバー体が設定位置に位置するときと位置しないときとで、火炎検知手段の出力信号が変動する。
そして、制御手段により、火炎検知手段の出力信号に基づいてカバー体が設定位置に位置しているか否かが判定され、その判定結果が報知手段に出力される。
つまり、カバー体がグリル庫内に配置されていないときには、火炎検知手段からは、カバー体が設定位置に位置する状態とは異なる信号が出力されて、制御手段によりカバー体が設定位置に位置していないことが判定されるので、報知手段からは、カバー体が設定位置に位置していないことに示す情報が出力される。
すると、使用者は、そのような報知手段からの出力情報により、カバー体がグリル庫内に適正に配置されていない等、カバー体の配置に関して不具合があることを認識することができるので、使用者にグリル庫内を視認することを動機付けすることができる。
そして、使用者は、グリル庫内を視認することにより、カバー体をグリル庫内に配置し忘れていることが分かるので、使用者にグリル庫内にカバー体を配置することを動機付けすることができる。
従って、グリル庫内にカバー体を配置し忘れた状態で使用するのを抑制し得るグリルを提供することができる。
又、通常、グリル庫内には火炎検知用の火炎検知手段が設けられるが、本来、この火炎検知手段はグリル庫内の高温にも耐え得るものである。そして、本願構成は、この火炎検知手段をカバー体の検知にも用いるのであり、新たな検知機構を設けることなく、カバー体の検知と火炎の検知の両方を行うことができる。
【０００９】
上記特徴構成によれば、カバー体が設定位置に位置するときと位置しないときとで、そのカバー体に一体的に備えられた検知部遮蔽体により検知部が火炎に対して遮蔽される範囲が異なるので、カバー体が設定位置に位置するときと位置しないときとで、火炎検知手段の出力信号が異なる。
つまり、カバー体に一体的に備えられた検知部遮蔽体により検知部が火炎に対して遮蔽される範囲を異ならせることによって、カバー体が設定位置に位置するときと位置しないときとで、火炎検知手段の出力信号を明確に異ならせることができる。
従って、カバー体が設定位置に位置するか否かの判定を一層的確に行うことができる。
この構成は、カバー体と火炎検知手段との構造上の位置関係から、カバー体により直接火炎検知手段の検知部を火炎から覆えない構造の場合に有効となる。
【００１１】
上記特徴構成によれば、前後移動案内手段により、左右方向の位置が設定位置に位置決めされた状態で、カバー体の前後方向の移動が案内されるので、使用者がカバー体をグリル庫内の設定位置に配置したりグリル庫内から取り出したりする操作を容易化することができる。
そして、カバー体は、左右方向の位置が設定位置に位置決めされた状態で前後方向の位置が変動するので、検知部に対する検知部遮蔽体の前後方向での相対位置が変動することになり、それによって、火炎に対して検知部が遮蔽される範囲が異なる。
つまり、カバー体が設定位置に位置するときと位置しないときとで、火炎に対して検知部が遮蔽される範囲を明確に異ならせることができるので、カバー体が設定位置に位置するときと位置しないときとで、火炎検知手段の出力信号を明確に異ならせることができる。
従って、グリル庫に対するカバー体の着脱操作を容易化しながら、カバー体が設定位置に位置するか否かの判定を更に的確に行えるようにすることができる。
【００１３】
上記特徴構成によれば、カバー体をグリル庫内の設定位置に配置すると、グリル庫の左右の内壁が左側覆い部と右側覆い部とにより覆われるので、グリル庫の内壁の極力広い範囲をカバー体で覆うことができる。
しかも、左側覆い部と右側覆い部とは連結部にて連結されているので、左側覆い部及び右側覆い部を一挙にグリル庫内の設定位置に配置したりグリル庫内から取り出したりすることができる。
従って、カバー体にてグリル庫の内壁の極力広い範囲を覆うようにしながら、グリル庫に対するカバー体の着脱操作を容易化することができる。
【００１５】
上記特徴構成によれば、左側覆い部と右側覆い部とが連結部にて連結されているので、火炎検知手段に対応して、左側覆い部と右側覆い部との少なくとも一方に検知部遮蔽体を設ければ、左側覆い部と右側覆い部との両方がグリル庫内の設定位置に配置されているか否かを判定することができる。
従って、カバー体にてグリル庫の内壁の極力広い範囲を覆うようにしながら、そのカバー体がグリル庫内の設定位置に配置されているか否かを判定するための構成を簡略化することができる。
【００１６】
第２特徴構成は、上記第１特徴構成に加えて、
前記バーナとして、前記グリル庫内の上部に配置される上側バーナと、前記グリル庫内の下部に配置される下側バーナとが備えられ、
前記検知部遮蔽体が、前記上側バーナに対応して設けられた前記火炎検知手段の前記検知部に対応して設けられている点にある。
【００１７】
上記特徴構成によれば、上側バーナと下側バーナとにより、焼き網に載置された被加熱物を上下両側から加熱することができる。
ところで、下側バーナの近傍には、引出部や、その引出部の出し入れを案内するための案内手段等が存在するので、下側バーナの周りには、カバー体の前後移動に伴って検知部遮蔽体を前後移動させるための空きスペースを確保し難い。
一方、上側バーナの下方には、焼き網やその焼き網に載置された被加熱物が存在するものの、それらは上側バーナから比較的離れているので、上側バーナの周りには、カバー体の前後移動に伴って検知部遮蔽体を前後移動させるための空きスペースを確保し易い。
つまり、検知部遮蔽体は、下側バーナに対応して設けられた火炎検知手段に対するよりも、上側バーナに対応して設けられた火炎検知手段に対する方が設け易い。
従って、カバー体がグリル庫内の設定位置に配置されているか否かを判定するための構成を簡略化することができる。
【００１８】
第３特徴構成は、上記第１又は第２特徴構成に加えて、
前記火炎検知手段が、前記検知部が前記火炎中に位置する状態で設けられた熱電対にて構成されている点にある。
【００１９】
上記特徴構成によれば、熱電対の検知部が火炎に対して検知部遮蔽体により遮蔽される範囲が変動すると、熱電対から出力される熱起電力が変動するので、その熱起電力の変動に基づいて、カバー体がグリル庫内の設定位置に配置されているか否かを判定する。
従って、火炎検知手段として熱電対を用いることにより、カバー体がグリル庫内の設定位置に配置されているか否かを的確に判定することができる。
【００２０】
第４特徴構成は、上記第１又は第２特徴構成に加えて、
前記火炎検知手段が、前記検知部が前記火炎中に位置する状態で設けられたフレームロッドにて構成されている点にある。
【００２１】
上記特徴構成によれば、フレームロッドの検知部が火炎に対して検知部遮蔽体により遮蔽される範囲が変動すると、フレームロッドの電極間を流れる電流の大きさが変動するので、その電流の大きさの変動に基づいて、カバー体がグリル庫内の設定位置に配置されているか否かを判定する。
従って、火炎検知手段としてフレームロッドを用いることにより、カバー体がグリル庫内の設定位置に配置されているか否かを的確に判定することができる。
【００２２】
第５特徴構成は、上記第１又は第２特徴構成に加えて、
前記火炎検知手段が、前記検知部が前記火炎に曝される状態で設けられた光学式火炎検知器にて構成されている点にある。
【００２３】
上記特徴構成によれば、光学式火炎検知器の検知部が検知部遮蔽体により火炎に対して遮蔽される範囲が変動すると、光学式火炎検知器が火炎からの放射光を受光する受光量が変動するので、その受光量の変動に基づいて、カバー体がグリル庫内の設定位置に配置されているか否かを判定する。
従って、火炎検知手段として光学式火炎検知器を用いることにより、カバー体がグリル庫内の設定位置に配置されているか否かを的確に判定することができる
【図面の簡単な説明】
【００２４】
【図１】グリルを備えたガスコンロの斜視図
【図２】トッププレートを省略し、引出部を引き出した状態でのガスコンロの斜視図
【図３】トッププレートを省略し、引出部を引き出した状態でのガスコンロの分解斜視図
【図４】扉を省略し、引出部を引き出した状態でのグリルの斜視図
【図５】グリルの概略縦断正面図
【図６】グリルの要部の縦断正面図
【図７】カバー体の斜視図
【図８】カバー体の移動に伴う検知部遮蔽体と火炎センサとの相対位置関係の変化を説明する図
【図９】ガスコンロの制御構成を示すブロック図
【図１０】カバー体の位置と火炎センサの出力電圧との関係を示す図
【図１１】別実施形態に係るカバー体を示すガスコンロの概略縦断正面図
【図１２】別実施形態に係るカバー体を示す図
【図１３】別実施形態に係るカバー体を示すガスコンロの概略縦断正面図
【発明を実施するための形態】
【００２５】
以下、図面に基づいて、本発明の実施の形態をガスコンロのグリルに適用した場合について説明する。
図１及び図２に示すように、本発明に係るグリルＧを備えたガスコンロは、コンロ本体１の上部に３つのコンロバーナ２が配置され、コンロ本体１の内部に、グリル庫７内を加熱するグリルバーナ３（図２〜図４参照）を備えるグリルＧが配置されて、ビルトインタイプのガスコンロに構成されている。
コンロ本体１の上部後方側に、グリルバーナ３の燃焼排ガスを排気するためのグリル排気口４が設けられ、コンロ本体１の上部は、トッププレート５にて覆われ、このトッププレート５の上部に、３つのコンロバーナ２の夫々に対応して、加熱用容器（鍋など）を載置する五徳６が載置支持されるように構成されている。
設置状態の図示は省略するが、コンロ本体１の内部には、ガスコンロの運転を制御するための各種制御を実行するように構成された制御手段としての制御部Ｃ（図９参照）が設けられている。
【００２６】
図１〜図３に示すように、コンロ本体１の前面部の略中央は、コンロ本体１に内蔵したグリルＧにおけるグリル庫７の前部開口部８にて開口されている。
コンロ本体１の前面部におけるグリル庫７の前部開口部８の左側には、グリルバーナ３を操作するためのグリル操作部４０が設けられている。
コンロ本体１の前面部におけるグリル庫７の前部開口部８の右側には、コンロバーナ２の点火、消火や火力の調整等の操作を行うコンロ操作つまみ５０が３つのコンロバーナ２夫々に対応して設けられ、コンロバーナ２の火力を表示する火力表示部５１が３つのコンロ操作つまみ５０夫々に対応して設けられている。更に、各コンロバーナ２を操作するためのコンロ操作部５２、コンロバーナ２及びグリルバーナ３の点火を可能にするための電源スイッチ１０も設けられている。
尚、本願はグリルＧに関する発明であるので、コンロ操作つまみ５０及びコンロ操作部５２の説明は省略する。
【００２７】
図１及び図２に示すように、グリル用操作部４０及びコンロ操作部５２は、押し操作する毎に、前倒れ状態となってパネルスイッチにて構成される操作面が露呈する開き状態と操作面が収納される閉じ状態とに切り換え自在に構成されている。
グリル操作部４０には、グリルバーナ３の点火及び消火を行うグリル運転スイッチ４１、グリルバーナ３の火力の調整を行う火力調整スイッチ４２、自動焼きモードを設定する自動焼きモードスイッチ４３、タイマ運転モードを設定するタイマ運転スイッチ４４、グリルバーナ３の燃焼状態を表示する燃焼表示部４５、及び、後述するカバー体３０の配置状態を表示するカバー体配置表示部４６が設けられている。設置状態の図示を省略するが、燃焼表示部４５には、緑色を発光する緑発光ＬＥＤ４５ｇと橙色を発光する橙発光ＬＥＤ４５ｒが組み込まれ、カバー体配置表示部４６にも、同様に、緑発光ＬＥＤ４６ｇと橙発光ＬＥＤ４６ｒが組み込まれている（図９参照）。
【００２８】
自動焼きモードは、グリル運転スイッチ４１によるグリルバーナ３の点火後、所定の燃焼条件でグリルバーナ３を燃焼させ、被調理物の焼き調理の終了が予測されるタイミングで自動的にグリルバーナ３を消火するモードである。
タイマ運転スイッチ４４は、タイマ時間を設定自在であり、タイマ運転モードは、グリル運転スイッチ４１によるグリルバーナ３の点火後、火力調整スイッチ４２にて設定された火力でグリルバーナ３を燃焼させ、タイマ運転スイッチ４４にて設定されたタイマ時間が経過すると自動的にグリルバーナ３を消火するモードである。
【００２９】
以下、グリルＧについて説明を加える。
図２〜図５に示すように、このグリルＧは、前方に前部開口部８を有するグリル庫７と、焼き網１２を載置自在な汁受皿１５を載置自在に有する引出部Ｈと、前述したグリル庫７内を加熱するグリルバーナ３と、グリルバーナ３にて形成される火炎Ｆを検知する検知部２３ｓが火炎Ｆ中に位置する状態で設けられた火炎検知手段としての火炎センサ２３（図５及び図６参照）と、前述した制御部Ｃ（図９参照）と、グリル庫７内において所定の設定位置に配置されて、グリル庫７の内壁７ｓを覆うカバー体３０等を備えて構成されている。
【００３０】
グリル庫７は、天井壁部７Ｃ、左側壁部７Ｌ、右側壁部７Ｒ、底壁部７Ｂ及び後壁部７Ｈを備えて、前方が前部開口部８にて開口された概略直方体形状の箱状に構成されている。
図５及び図６に示すように、左側壁部７Ｌ及び右側壁部７Ｒ夫々は、夫々の上端側の部分がグリル庫７の内方側に傾斜する傾斜状に構成されている。
【００３１】
図２〜図４に示すように、引出部Ｈは、グリル庫７内下部の左右の両端に配置されたスライドレール１１により、グリル庫７内に収納される収納位置（図１参照）とグリル庫７の前方に引き出される引出位置（図２及び図３参照）とにわたって、前部開口部８を通して出し入れ自在に設けられている。この引出部Ｈには、それが収納位置に位置するときにグリル庫７の前部開口部８を閉じるように扉７０が着脱自在に備えられている。
又、カバー体３０は、前部開口部８を通して着脱自在に設けられている。
【００３２】
本発明では、カバー体３０が設定位置に位置するときと設定位置に位置しないときとで、火炎センサ２３の出力信号が変動するように構成されている。
その具体構成として、この実施形態では、図４〜図６、及び、図８に示すように、カバー体３０がグリル庫７内の設定位置に位置するときに火炎Ｆに対して検知部２３ｓを部分的に遮蔽し、且つ、カバー体３０が設定位置に位置するときと位置しないときとで、火炎Ｆに対して検知部２３ｓを遮蔽する範囲を異ならせることが可能なように、火炎Ｆに対して検知部２３ｓを遮蔽する検知部遮蔽体３４がカバー体３０に一体的に備えられて、カバー体３０が設定位置に位置するときと設定位置に位置しないときとで、火炎センサ２３の出力信号が変動するように構成されている。
【００３３】
以下、グリルＧの各部について、説明を加える。
グリルバーナ３は、図３〜図６、及び、図９に示すように、グリル庫７内の上部に位置して、焼き網１２に載置された被加熱物（図示省略）を上側から加熱する上側バーナ３ａと、グリル庫７内の下部左右両側に離れて位置して、焼き網１２に載置された被加熱物を下側の左右両側から加熱する一対の下側バーナ３ｂとを備えて構成されている。
【００３４】
上側バーナ３ａは、平面視で概ね矩形状の外形を有するように構成され、グリル庫７の天井部の略中央に配置されて、グリル庫７の天井壁部７Ｃの中央側の部分を形成する形態で設けられている。
そして、この上側バーナ３ａは、平面視でその外周に沿う概ね「ロ」の字状で、下向きに火炎Ｆを形成するように構成されている。
左右の各下側バーナ３ｂは、複数の炎孔３ｈが長手方向に沿って間隔を隔てて形成されたパイプ状に構成され、炎孔３ｈがグリル庫７内の内側斜め上に向く形態で、グリル庫７内下部の左側端部、右側端部夫々に設けられている。
【００３５】
上側バーナ３ａ、左右の下側バーナ３ｂ夫々に対して、点火プラグ２２及び火炎センサ２３が設けられている。この実施形態では、図６に示すように、火炎センサ２３は、熱電対（図示省略）を耐熱金属製の鞘管に封入したシース型熱電対にて構成され、このシース型熱電対における二種の金属の接合部分が収納された先端の円錐状部分が検知部２３ｓになる。
図４〜図６に示すように、シース型熱電対からなる火炎センサ２３は、上側バーナ３ａに対しては、グリル庫７の右側壁部７Ｒの上部の傾斜状部を斜め上向きに貫通して、先端の検知部２３ｓが上側バーナ３ａの右側端部の下方に位置する形態で、右側壁部７Ｒに支持されている。
又、図４に示すように、点火プラグ２２も、上側バーナ３ａに対しては、火炎センサ２３と同様の形態で、右側壁部７Ｒに支持されている。
尚、左右の下側バーナ３ｂ夫々に対する点火プラグ２２及び火炎センサ２３の設置形態の説明及び図示は、省略する。
【００３６】
図２及び図３に示すように、引出部Ｈは、一対のスライドレール１１夫々の先端レール１１ｔに夫々固定される一対のアーム部材１４と、それら一対のアーム部材１４の前端に架け渡された扉支持板１３とを備えて構成され、その扉支持板１３に扉７０が立ち姿勢で着脱自在に取り付けられるように構成されている。この扉７０には、横長の窓７１が形成されると共に、扉７０の前面には、窓７１に合わせて、横長状の透明部分が備えられたガラス板７２が取り付けられている。
スライドレール１１の構成は周知であるので、詳細な説明を省略して簡単に説明すると、中間レール（図示省略）が固定レール（図示省略）にその長手方向にスライド自在に支持され、先端レール１１ｔが中間レールにその長手方向にスライド自在に支持されて構成され、固定レールがグリル庫７の底壁部７Ｂに取り付けられる。
【００３７】
図２及び図３に示すように、各アーム部材１４には、上方に突出する突起部１４ｔが備えられている。又、汁受皿１５の左右両端夫々には、汁受皿１５が適正な位置で一対のアーム部材１４上に載置されたときに突起部１４ｔを挿通可能なようにスリット１５ｓが設けられている。
そして、汁受皿１５を、その一対のスリット１５ｓ夫々に各アーム部材１４の突起部１４ｔを挿通させた状態で、一対のアーム部材１４上に跨り状態で載置することにより、図２に示すように、汁受皿１５が引出部Ｈに適正な位置で載置されるように構成されている。
【００３８】
図３〜図７に示すように、この実施形態では、カバー体３０が、グリル庫７の内壁７ｓのうちの左右の内壁７Ｌｓ，７Ｒｓを夫々覆う左側覆い部３１、右側覆い部３２と、それら左側覆い部３１及び右側覆い部３２夫々の上端部同士を連結する細長状の連結部３３とを備えて構成されている。ちなみに、グリル庫７の左内壁７Ｌｓは、グリル庫７の左側壁部７Ｌの内面に相当し、右内壁７Ｒｓは、グリル庫７の右側壁部７Ｒの内面に相当する。
【００３９】
左側覆い部３１は、グリル庫７内に配置された状態で、略鉛直状に延びる縦板部分３１ａと、その縦板部分３１ａの下端からグリル庫７の内方に向かって下向きの傾斜状に延びる傾斜状下板部分３１ｂと、その縦板部分３１ａの上端からグリル庫７の内方に向かって上向きの傾斜状に延びる傾斜状上板部分３１ｃとを備えて、概ね樋状に構成されている。
左側覆い部３１の傾斜状下板部分３１ｂには、その外側の面（左内壁７Ｌｓ側の面）から内側の面（グリル庫７の内方側の面）に向けて引っ込む２個の円形の位置決め用凹部３１ｅが、その長手方向の両端側に振り分けて設けられている。この位置決め用凹部３１ｅの凹面は、概ね球面の一部の如き湾曲面に構成されている。
【００４０】
右側覆い部３２は、グリル庫７内に配置された状態で、略鉛直状に延びる縦板部分３２ａと、その縦板部分３２ａの下端からグリル庫７の内方に向かって下向きの傾斜状に延びる傾斜状下板部分３２ｂと、その縦板部分３２ａの上端からグリル庫７の内方に向かって上向きの傾斜状に延びる傾斜状上板部分３２ｃとを備えて、概ね樋状に構成されている。
右側覆い部３２の傾斜状下板部分３２ｂにも、左側覆い部３１の傾斜状下板部分３１ｂの位置決め用凹部３１ｅと同様の形状の２個の位置決め用凹部３２ｅが、長手方向の両端側に振り分けて設けられている
又、グリル庫７の前部開口部８から挿入されてグリル庫７内に配置される際に、上側バーナ３ａに対して設けられた点火プラグ２２及び火炎センサ２３を逃がすために、右側覆い部３２における傾斜状上板部分３２ｃの後端側には、切り欠き部３２ｄが設けられている。
【００４１】
縦板部分３１ａと傾斜状下板部分３１ｂと傾斜状上板部分３１ｃとから成る左側覆い部３１と、縦板部分３２ａと傾斜状下板部分３２ｂと傾斜状上板部分３２ｃとから成る右側覆い部３２とは、鉛直方向に沿う高さが略同一となるように構成されている。
そして、概ね樋状の左側覆い部３１と右側覆い部３２とが互いに開口部を対向させて配置された状態で、左側覆い部３１の傾斜状上板部分３１ｃの上端縁の前方側部分と右側覆い部３２の傾斜状上板部分３２ｃの上端縁の前方側部分とが帯状の連結部３３により連結されて、連結部３３にて連結された状態で左側覆い部３１と右側覆い部３２とを一体的に備えたカバー体３０が構成される。
【００４２】
図２及び図４に示すように、グリル庫７の前面開口部８の左右両側に振り分けて、一対の位置決め板１６，１７が設けられている。
左側の位置決め板１６には、左側覆い部３１における長手方向視での外周形状に合致した形状に引っ込む凹部１６ｄが形成され、右側の位置決め板１７には、右側覆い部３２における長手方向視での外周形状に合致した形状に引っ込む凹部１７ｄが形成されている。
そして、これら左右の一対の位置決め板１６，１７は、互いの凹部１６ｄ，１７ｄの開口部を対向させた姿勢で、それら凹部１６ｄ，１７ｄの間に、カバー体３０の左側覆い部３１及び右側覆い部３２を嵌め込み可能なように、前面開口部８の左右両側に振り分けて設けられている。
【００４３】
図５及び図６に示すように、グリル庫７の左内壁７Ｌには、グリル庫７内の前後方向の基準位置Ｐ（図８参照）に位置するカバー体３０における左側覆い部３１の各位置決め用凹部３１ｅに夫々対向するように、２本の左側アーム部１８が設けられている。又、グリル庫７の右内壁７Ｒには、グリル庫７内の前後方向の基準位置Ｐに位置するカバー体３０における右側覆い部３２の各位置決め用凹部３２ｅに夫々対向するように、２本の右側アーム部１９が設けられている。
尚、この実施形態では、図８（ｂ）に示すように、カバー体３０の先端（図８では、右側覆い部分３２の先端）がグリル庫７内に設定される前後方向の基準位置Ｐに一致すると、カバー体３０が前後方向の基準位置Ｐに位置するとされる。
【００４４】
各左側アーム部１８の先端部は、左側覆い部３１における傾斜状下板部分３１ｂの外側の面に当接可能なように屈曲されると共に、その屈曲部に、傾斜状下板部分３１ｂの位置決め用凹部３１ｅに嵌め込み可能な円形の凸部１８ｃが形成されている。又、各右側アーム部１９の先端部も、右側覆い部３２における傾斜状下板部分３２ｂの外側の面に当接可能なように屈曲されると共に、その屈曲部に、傾斜状下板部分３２ｂの位置決め用凹部３２ｅに嵌め込み可能な円形の凸部１９ｃが形成されている。ちなみに、円形の凸部１８ｃや凸部１９ｃの凸面は、概ね球面の一部の如き湾曲面に構成されている。
【００４５】
そして、カバー体３０を、その左側覆い部３１及び右側覆い部３２の先端を左右一対の位置決め板１６，１７における凹部１６ｄ、１７ｄの間に嵌め込み、そのままグリル庫７内の後方に向けて押し込む。すると、カバー体３０を、グリル庫７に対する左右方向での位置が左右一対の位置決め板１６，１７により、左右方向の設定位置に位置決めされた状態で案内されて、グリル庫７内の後方に向けて押し込むことができる。つまり、カバー体３０の位置が、グリル庫７に対して、左右方向では設定位置に位置決めされた状態で、前後方向での位置が変わることになる。
そのようにカバー体３０をグリル庫７内の後方に向けて押し込んで、カバー体３０が前後方向での基準位置Ｐに位置すると、左側覆い部３１の２個の位置決め用凹部３１ｅに２本の左側アーム部１８の凸部１８ｃが嵌まり込み、並びに、右側覆い部３２の２個の位置決め用凹部３２ｅに２本の右側アーム部１９の凸部１９ｃが嵌まり込んで、カバー体３０がグリル庫７内の前後左右の設定位置に位置決めされる。
【００４６】
図４〜図８に示すように、検知部遮蔽体３４は、カバー体３０の右側覆い部３２に設けられている。
この検知部遮蔽体３４は、右側覆い部３２の傾斜状上板部分３２ｃの上端縁における切り欠き部３２ｄが形成されていない部分の後端部に、火炎センサ２３と上側バーナ３ａとの間に相当する高さで、且つ、斜め上向きの火炎センサ２３と平行になる姿勢で、斜め上向きにグリル庫７の内方に向かって突出するように設けられている。この検知部遮蔽体３４の形状は、長方形板状であり、この長方形板状の検知部遮蔽体３４が、板面を横向きにすると共に、火炎センサ２３に対して平行になるように水平方向に対して上向きに傾斜させた姿勢で、右側覆い部３２の上端縁に一体的に設けられている。
【００４７】
つまり、この実施形態では、上側バーナ３ａに対する火炎センサ２３が、グリル庫７の右側部に、検知部２３ｓをグリル庫７の内方に向けて突出させた形態で設けられ、検知部遮蔽体３４が、上側バーナ３ａに対応して設けられた火炎センサ２３の検知部２３ｓに対応して、右側覆い部３２に、グリル庫７の内方に向けて突出するように設けられていることになる。
【００４８】
そして、図８（ｂ）に示すように、カバー体３０がグリル庫７内の前後方向の基準位置Ｐに配置されると、検知部遮蔽体３４が火炎センサ２３と上側バーナ３ａとの上下方向での間に位置すると共に、平面視で、検知部遮蔽体３４の後端縁が火炎センサ２３の長手方向の軸心Ａに重なる状態となって、検知部遮蔽体３４により、火炎センサ２３における幅方向で軸心Ａに沿って二分した半分の部分を上側バーナ３ａにて形成される火炎Ｆに対して遮蔽するように構成されている。
【００４９】
つまり、この実施形態では、左右一対の位置決め板１６，１７が、グリル庫７に対するカバー体３０の左右方向での位置を左右方向の設定位置に位置決めした状態で、カバー体３０の前後方向の移動を案内する前後移動案内手段として機能するように構成され、検知部遮蔽体３４が、前後方向での検知部２３ｓとの相対位置関係の変動により、火炎Ｆに対して検知部２３ｓを遮蔽する範囲を異ならせるようにカバー体３０に備えられていることになる。
【００５０】
次に、図１０に基づいて、火炎センサ２３と検知部遮蔽体３４との前後方向での相対位置と火炎センサ２３からの出力信号（この実施形態では、電圧値）との関係を調べた結果を説明する。
但し、以下の説明において、火炎センサ２３の各部の位置は、グリル庫７の前後方向を基準にして特定する。即ち、平面視における火炎センサ２３の周縁のうち、グリル庫７の前後方向において前方側の縁部を前端縁部、グリル庫７の前後方向において後方側の縁部を後端縁部と記載する。
一方、検知部遮蔽体３４の各部の位置は、カバー体３０の前向き（グリル庫７の後方側への移動）の移動方向を基準にして特定する。即ち、平面視で検知部遮蔽体３４の移動方向に沿って並ぶ２つの端縁部のうち、カバー体３０の前向きの移動を基準として、移動方向前方側の端縁部を前端縁部とし、移動方向後方側の端縁部を後端縁部とする。
【００５１】
火炎センサ２３が検知部遮蔽体３４にて全く遮蔽されない状態において、上側バーナ３ａが正常に燃焼して火炎Ｆが形成されると、火炎センサ２３からは、非遮蔽状態燃焼時電圧として８ｍＶ程度の電圧が出力され、上側バーナ３ａが燃焼しておらず、火炎Ｆが形成されていないときは、火炎センサ２３からは、非遮蔽状態消火時電圧として１．５ｍＶ程度の電圧が出力される。
【００５２】
上側バーナ３ａが正常に燃焼して火炎Ｆが形成されている状態において、平面視で、カバー体３０が前後方向の基準位置Ｐよりも手前から、図８（ａ）に示すように、検知部遮蔽体３４の前端縁が火炎センサ２３の前端縁に達する状態に対応する位置まで移動する間は、図１０に示すように、火炎センサ２３からは、それが検知部遮蔽体３４にて全く遮蔽されない状態と同様に、概ね非遮蔽状態燃焼時電圧の８ｍＶ程度の電圧が出力される。
更に、カバー体３０が、平面視で、検知部遮蔽体３４の前端縁が火炎センサ２３の前端縁に重なる状態に対応する位置から前方に移動して、図１０（ｂ）に示す如き検知部遮蔽体３４の前端縁が火炎センサ２３の軸心Ａに重なる状態に対応する位置（前後方向の基準位置Ｐ）から、更に、図１０（ｃ）に示す如く検知部遮蔽体３４の前端縁が火炎センサ２３の後端縁に重なる状態に対応する位置にまで前方に移動する間は、図１０に示すように、火炎センサ２３からの出力電圧は非遮蔽状態燃焼時電圧から徐々に低下し、検知部遮蔽体３４の前端縁が火炎センサ２３の後端縁を越えると、火炎センサ２３からの出力電圧は略一定になる。
【００５３】
ちなみに、カバー体３０が、平面視で、検知部遮蔽体３４の前端縁が火炎センサ２３の前端縁に重なる状態に対応する位置（図８（ａ））に位置するときは、火炎センサ２３からは、燃焼状態遮蔽開始時電圧として、非遮蔽状態燃焼時電圧と同等の８ｍＶ程度の電圧が出力される。
又、カバー体３０が、平面視で、前後方向の基準位置Ｐに位置する状態に対応する位置（図８（ｂ））に位置するときは、火炎センサ２３からは、燃焼状態基準位置時電圧として、６ｍＶ程度の電圧が出力される。
又、カバー体３０が、平面視で、検知部遮蔽体３４の前端縁が火炎センサ２３の後端縁に達する状態に対応する位置（図８（ｃ））に位置するときは、火炎センサ２３からは、遮蔽状態燃焼時電圧として、非遮蔽状態燃焼時電圧の８ｍＶよりも低い２ｍＶ程度の電圧が出力される。
【００５４】
カバー体３０の左側覆い部３１の２個の位置決め用凹部３１ｅと２本の左側アーム部１８の凸部１８ｃとの嵌まり込み状態や、カバー体３０の右側覆い部３２の２個の位置決め用凹部３２ｅと２本の右側アーム部１９の凸部１９ｃとの嵌まり込み状態は、多少ずれることがあり得る。そこで、グリル庫７に対してカバー体３０を配置するに当たって、その前後方向での設定位置は、検知部遮蔽体３４の前端縁が火炎センサ２３の前端縁を多少越えた状態に対応する位置（但し、基準位置Ｐよりも手前）から、検知部遮蔽体３４の前端縁が火炎センサ２３の後端縁の多少手前に達する状態に対応する位置（但し、基準位置Ｐよりも後側）までの範囲とする。
【００５５】
そして、上側バーナ３ａが正常に燃焼して火炎Ｆが形成されている状態で、カバー体３０が設定位置に位置していると判定するための火炎センサ２３の出力電圧の下限値（以下、設定位置判定下限値と記載する場合がある）として、遮蔽状態燃焼時電圧（この実施形態では、２ｍＶ）よりもやや大きい電圧（例えば、２．２ｍＶ程度）に設定され、上限値（以下、設定位置判定上限値と記載する場合がある）として、燃焼状態遮蔽開始時電圧（この実施形態では８ｍＶ）よりもやや小さい電圧（例えば、７．８ｍＶ程度）に設定される。
つまり、設定位置判定下限値としては、遮蔽状態燃焼時電圧よりも大きく且つ燃焼状態基準位置時電圧よりも小さい電圧に設定され、設定位置判定上限値としては、燃焼状態基準位置時電圧よりも大きく且つ燃焼状態遮蔽開始時電圧よりも小さい電圧に設定される。
【００５６】
又、上側バーナ３ａが正常に燃焼して火炎Ｆが形成されている状態で、カバー体３０が配置されていないか、又は、設置位置よりも手前に配置されているときは、火炎センサ２３からの出力電圧は、非遮蔽状態燃焼時電圧と略同等である。
又、上側バーナ３ａが正常に燃焼して火炎Ｆが形成されている状態で、カバー体３０が設置位置よりも後方に配置されていて、火炎センサ２３の全体が検知部遮蔽体３４により遮蔽されている状態では、火炎センサ２３からの出力電圧は、非遮蔽状態消火時電圧よりも高く、遮蔽状態燃焼時電圧よりも低い範囲である。
又、カバー体３０が配置されていないか、カバー体３０が配置されていても設定位置に位置しているかいないかに拘わらず、上側バーナ３ａが燃焼しておらず、火炎Ｆが形成されていないときは、火炎センサ２３からの出力電圧は、非遮蔽状態消火時電圧以下である。
【００５７】
尚、非遮蔽状態燃焼時電圧、非遮蔽状態消火時電圧、燃焼状態遮蔽開始時電圧、燃焼状態基準位置時電圧、遮蔽状態燃焼時電圧等の実際の電圧値は、火炎センサ２３の仕様、検知部遮蔽体３４の大きさ、火炎センサ２３と検知部遮蔽体３４との相対位置関係により変動するので、これら各状態での火炎センサ２３の出力電圧値は、グリルＧの機種毎に実験により求めて、後述する各種の制御に用いることになる。
【００５８】
次に、図９に基づいて、３つのコンロバーナ２及びグリルバーナ３へのガス供給構成について説明する。
元ガス供給路２０から４系統の分岐路２０ｂが分岐されて、３つのコンロバーナ２及びグリルバーナ３夫々に接続され、元ガス供給路２０には、元電磁弁２１が設けられ、各分岐路２０ｂには、ステッピングモータ（図示省略）の駆動によって燃料ガスの流量を調整して加熱量を調整するための流量制御弁２４が備えられている。グリルバーナ３への分岐路２０ｂは、２系統に分岐されて、上側バーナ３ａと下側バーナ３ｂ夫々に接続されている。
図９に示すように、３つのコンロバーナ２夫々の近傍には、点火プラグ２２及び火炎センサ２３が設けられ、グリルバーナ３の上側バーナ３ａ及び下側バーナ３ｂ夫々の近傍にも、点火プラグ２２及び火炎センサ２３が設けられている。又、設置場所の図示は省略するが、グリル部Ｇには、グリル庫７内の温度を検出するグリル温度センサ２５が設けられている。
【００５９】
次に、図９に基づいて、このガスコンロの制御構成について説明する。
尚、本願はグリルＧに関する発明であるので、３つのコンロバーナ２に関する制御の説明及び図示は省略して、グリルバーナ３に関する制御について、詳細に説明する。又、電源スイッチ１０がオンされることにより各種の制御の実行が可能となるので、この電源スイッチ１０の操作については、特に説明が必要でない場合は、その操作に関する記載を省略する。
【００６０】
先ず、制御部Ｃによるグリルバーナ３の制御について、説明する。
制御部Ｃは、自動焼きモード及びタイマ運転モードのいずれも設定されることなく、グリル運転スイッチ４１によりグリルＧの運転が指令されると、グリルバーナ３を点火する点火処理を実行する。この点火処理では、元電磁弁２１を開弁すると共に、グリルバーナ３の火力が予め設定された点火時火力となるように流量制御弁２４を制御する状態で、上側バーナ３ａ、一対の下側バーナ３ｂ全ての点火プラグ２２に駆動信号を与えて点火作動させる。そして、上側バーナ３ａについては、その上側バーナ３ａに対応する火炎センサ２３の出力電圧が遮蔽状態燃焼時電圧（２ｍＶ）以上であることにより点火が確認されるとその上側バーナ３ａに対応する点火プラグ２２の駆動を停止する。又、一対の下側バーナ３ｂ夫々については、夫々に対応する火炎センサ２３の出力電圧が非遮蔽状態燃焼時電圧（８ｍＶ）以上であることにより点火が確認されると、夫々に対応する点火プラグ２２の駆動を停止する。尚、予め設定された点火用時間の間、点火プラグ２２を駆動させても、火炎センサ２３により点火が確認されない場合は、点火プラグ２２の駆動を停止する。
【００６１】
制御部Ｃは、上側バーナ３ａ及び一対の下側バーナ３ｂ全てについて、火炎センサ２３により点火が確認されると、燃焼表示部４５の緑発光ＬＥＤ４５ｇを点灯させ、上側バーナ３ａ及び一対の下側バーナ３ｂのうちの一つでも、火炎センサ２３により点火が確認されないと、燃焼表示部４５の橙発光ＬＥＤ４５ｒを点灯させる。
【００６２】
又、制御部Ｃは、上側バーナ３ａについては、上述の点火処理時の火炎センサ２３の出力電圧が、設定位置判定下限値（２．２ｍＶ）から設定位置判定上限値（７．８ｍＶ）の範囲であれば、カバー体３０がグリル庫７内の設定位置に位置していると判定して、カバー体配置表示部４６の緑発光ＬＥＤ４６ｇを点灯させ、設定位置判定下限値（２．２ｍＶ）よりも低いとき、及び、設定位置判定上限値（７．８ｍＶ）よりも高いときのいずれの場合も、カバー体３０がグリル庫７内の設定位置に位置していないと判定して、カバー体配置表示部４６の橙発光ＬＥＤ４６ｒを点灯させる。
【００６３】
制御部Ｃは、点火処理の終了後は、グリルバーナ３の火力が火力調整スイッチ４２にて設定された火力になるように流量制御弁２４を制御し、グリル運転スイッチ４１によりグリルＧの停止が指令されると、元電磁弁２１及び流量制御弁２４を閉弁してグリルバーナ３を消火する。
【００６４】
制御部Ｃは、タイマ運転スイッチ４４によりタイマ運転モードが指令された状態で、グリル運転スイッチ４１によりグリルＧの運転が指令されると、上述のように点火処理を実行した後、グリルバーナ３の火力が火力調整スイッチ４２にて設定された火力になるように流量制御弁２４を制御し、タイマ運転スイッチ４４にて設定されたタイマ時間が経過すると、元電磁弁２１及び流量制御弁２４を閉弁してグリルバーナ３を消火する。
【００６５】
制御部Ｃは、自動焼きモードスイッチ４３により自動焼きモードが指令された状態で、グリル運転スイッチ４１によりグリルＧの運転が指令されると、上述のように点火処理を実行した後、予め設定された燃焼条件でグリルバーナ３を燃焼させるべく流量制御弁２４を制御し、被調理物の焼き調理の終了が予測されるタイミングになると、元電磁弁２１及び流量制御弁２４を閉弁してグリルバーナ３を消火する。
【００６６】
制御部Ｃは、上述のように、タイマ運転モードが指令されたときや、自動焼きモードスイッチ４３により自動焼きモードが指令されたときに、点火処理を行ったときにも、上側バーナ３ａ及び一対の下側バーナ３ｂ全てについて、火炎センサ２３により点火が確認されると、燃焼表示部４５の緑発光ＬＥＤ４５ｇを点灯させ、上側バーナ３ａ及び一対の下側バーナ３ｂのうちに一つでも、火炎センサ２３により点火が確認されないと、燃焼表示部４５の橙発光ＬＥＤ４５ｒを点灯させる。
又、制御部Ｃは、タイマ運転モードが指令されたときや、自動焼きモードスイッチ４３により自動焼きモードが指令されたときに、点火処理を行ったときに、上側バーナ３ａに対する火炎センサ２３の出力電圧が、設定位置判定下限値から設定位置判定上限値の範囲であれば、カバー体３０がグリル庫７内の設定位置に位置していると判定して、カバー体配置表示部４６の緑発光ＬＥＤ４６ｇを点灯させ、設定位置判定下限値よりも低いとき、及び、設定位置判定上限値よりも高いときのいずれの場合も、カバー体３０がグリル庫７内の設定位置に位置していないと判定して、カバー体配置表示部４６の橙発光ＬＥＤ４６ｒを点灯させる。
【００６７】
又、制御部Ｃは、自動焼きモード及びタイマ運転モードのいずれも設定されていない場合、タイマ運転スイッチ４４によりタイマ運転モードが設定されている場合、並びに、自動焼きモードスイッチ４３により自動焼きモードが設定されている場合のいずれの場合でも、上側バーナ３ａ及び一対の下側バーナ３ｂのいずれかの火炎センサ２３により消火が検出されると、あるいは、グリル温度センサ２５の検出温度が過熱防止用設定温度以上になってグリルＧの過熱が検出されると、燃焼表示部４５の橙発光ＬＥＤ４５ｒを点灯させると共に、元電磁弁２１及び流量制御弁２４を閉弁する。
【００６８】
つまり、本発明では、制御部Ｃが、火炎センサ２３の出力信号に基づいて、カバー体３０が設定位置に位置しているか否かを判定するように構成されていることになる。
又、制御部Ｃの判定結果を出力する報知手段Ｌとして、カバー体配置表示部４６が設けられていることになる。
【００６９】
グリルバーナ３の点火処理の際に、上述のように、カバー体配置表示部４６の表示状態の切り換えが行われるので、使用者はカバー体３０の配置状態を認識することができる。
つまり、カバー体配置表示部４６の緑発光ＬＥＤ４６ｇが点灯して、カバー体配置表示部４６が緑色に光ると、使用者はカバー体３０がグリル庫７内に適正に配置していると認識することができる。
一方、カバー体配置表示部４６の橙発光ＬＥＤ４６ｒが点灯して、カバー体配置表示部４６が橙色に光ると、使用者はカバー体３０の配置状態が異常であると認識することができる。そして、例えば、グリルＧの運転を停止して引出部Ｈを引き出し、前部開口部８からグリル庫７内を覗いて、カバー体３０をグリル庫７内に配置し忘れていないかを確認することができ、配置し忘れているときはカバー体３０をグリル庫７内に配置する。又、前部開口部８からグリル庫７内を覗いて、カバー体３０がグリル庫７内に配置されているときは、その配置位置を適正な位置に修正することができる。
【００７０】
〔別実施形態〕
次に別実施形態を説明する。
（イ）  カバー体３０の形状や、グリル庫７内における配置形態は、上記の実施形態において例示した形状や配置形態に限定されるものではない。
【００７１】
又、カバー体３０を、上記の実施形態と同様のグリル庫７の左右の内壁７Ｌｓ，７Ｒｓを夫々覆う左側覆い部３１、右側覆い部３２を備えて構成する場合、左側覆い部３１、右側覆い部３２夫々の形状や内壁７Ｌｓ，７Ｒｓ夫々を覆う範囲を種々に変更することができる。
例えば、図１１に示すように、左側覆い部３１を、左内壁７Ｌｓの上方部分を覆う板状体３１ｆにて構成し、右側覆い部３２を、右内壁７Ｒｓの上方部分を覆う板状体３２ｆにて構成しても良い。これら、左側覆い部３１を構成する板状体３１ｆ、及び、右側覆い部３２を構成する板状体３２ｆは、夫々、グリル庫７の内方ほど上方に位置する傾斜姿勢で、「ハ」の字状に配置する。
この場合、図１１に示すように、板状体３１ｆ及び板状体３２ｆ夫々の上端部同士を連結部３３にて連結して、左側覆い部３１と右側覆い部３２とを一体的に連結しても良い。
又、左側覆い部３１と右側覆い部３２とを一体的に連結する場合は、火炎センサ２３の配置形態、及び、その火炎センサ２３に対応する検知部遮蔽体３４の配置形態は、図示を省略するが、上記の実施形態と同様とすることができる。
【００７２】
又、図１２（ａ）に示すように、左側覆い部３１を、上記の実施形態の傾斜状上板部分３１ｃを省略して、縦板部分３１ａと傾斜状下板部分３１ｂとを備えて構成し、右側覆い部３２も、上記の実施形態の傾斜状上板部分３２ｃを省略して、縦板部分３２ａと傾斜状下板部分３２ｂとを備えて構成しても良い。尚、図１２（ａ）は、グリルの概略縦断正面図である。
この場合、図１２（ａ）に示すように、縦板部分３１ａ及び縦板部分３２ａ夫々の上端部同士を連結部３３にて連結して、左側覆い部３１と右側覆い部３２とを一体的に連結しても良い。
この場合、火炎センサ２３の配置形態、及び、その火炎センサ２３に対応する検知部遮蔽体３４の配置形態は、上記の実施形態と同様としても良いし、図１２（ｂ）に示すように、下側バーナ３ｂに対する火炎センサ２３に対して、検知部遮蔽体３４を設けても良い。尚、図１２（ｂ）は、火炎センサ２３及び検知部遮蔽体３４の配置形態を示す斜視図である。
即ち、火炎センサ２３は、下側バーナ３ｂの上方に設けられるので、検知部遮蔽体３４は、例えば、火炎センサ２３と下側バーナ３ｂとの間に相当する高さで、右側覆い部３２の傾斜状下板部分３２ｂの下端に延長板３５を介して設ける。
【００７３】
又、図１３に示すように、左側覆い部３１を、左内壁７Ｌｓの下方部分を覆う板状体３１ｇにて構成し、右側覆い部３２を、右内壁７Ｒｓの下方部分を覆う板状体３２ｇにて構成しても良い。これら、左側覆い部３１を構成する板状体３１ｇ、及び、右側覆い部３２を構成する板状体３２ｇは、夫々、グリル庫７の内方ほど下方に位置する傾斜姿勢で配置する。
この場合、図示を省略するが、板状体３１ｇ及び板状体３２ｇを連結部にて連結して、左側覆い部３１と右側覆い部３２とを一体的に連結しても良い。
【００７４】
（ロ）  火炎センサ２３の配置形態、及び、その火炎センサ２３に対応する検知部遮蔽体３４の配置形態は、上記の実施形態において例示したものに限定されるものではない。
【００７５】
（ハ）  カバー体３０が設定位置に位置するときと位置しないときとで、検知部遮蔽体２３により検知部２３ｓを火炎Ｆに対して遮蔽する形態は、上記の実施形態において例示した形態に限定されるものではない。
例えば、カバー体３０が設定位置に位置するときは、検知部２３ｓの少なくとも一部を火炎Ｆに対して遮蔽し、カバー体３０が設定位置に位置しないときは、検知部２３ｓを火炎Ｆに対して全く遮蔽しないように、検知部遮蔽体３４をカバー体３０に備えても良い。
【００７７】
（ニ）  報知手段Ｌの具体構成は、上記の実施形態において例示した構成、即ち、緑発光ＬＥＤ４６ｒ及び橙発光ＬＥＤ４６ｒからなるカバー体配置表示部４６に限定されるものではなく、例えば、ＬＣＤ等の表示装置、ブザー、あるいは、スピーカ等でも良い。
【００７８】
（ホ）  火炎センサ２３の具体構成は、上記の実施形態において例示した熱電対に限定されるものではなく、例えば、フレームロッドや光学式火炎検知器を用いることができる。
ちなみに、光学式火炎検知器は、火炎から放射される光（紫外線、可視光等）を光電効果により検出することにより火炎を検知するものである。
【００７９】
（へ）  上記の実施形態においては、本発明をガスコンロに内蔵されたグリルＧに適用する場合について例示したが、本発明は、グリルＧのみを備えたものにも適用することができる。
【産業上の利用可能性】
【００８０】
以上説明したように、グリル庫内にカバー体を配置し忘れた状態で使用するのを抑制し得るグリルを提供することができる。
【符号の説明】
【００８１】
３          バーナ
３ａ        上側バーナ
３ｂ        下側バーナ
７          グリル庫
７ｓ        内壁
８          前部開口部
１２        焼き網
１６，１７  位置決め板（前後移動案内手段）
２３        火炎センサ（火炎検知手段）
２３ｓ      検知部
３０        カバー体
３１        左側覆い部
３２        右側覆い部
３３        連結部
３４        検知部遮蔽体
Ｃ          制御部（制御手段）
Ｆ          火炎
Ｈ          引出部
Ｌ          報知手段
【図１】
0005818629.tif 000002
【図２】
0005818629.tif 000003
【図３】
0005818629.tif 000004
【図４】
0005818629.tif 000005
【図５】
0005818629.tif 000006
【図６】
0005818629.tif 000007
【図７】
0005818629.tif 000008
【図８】
0005818629.tif 000009
【図９】
0005818629.tif 000010
【図１０】
0005818629.tif 000011
【図１１】
0005818629.tif 000012
【図１２】
0005818629.tif 000013
【図１３】
0005818629.tif 000014